(57)【要約】【課題】  画像形成動作を開始してから最初に画像を形成された記録媒体が排出されるまでの時間を短くしつつ、記録媒体を容易に補給する。【解決手段】  記録媒体補給部１６は画像形成部１４の上方に配置され、記録媒体蓄積部２０ａ，２０ｂは画像形成部１４の下方に配置されている。記録媒体転送部１８は、記録媒体を搬送する搬送ロール６８ａ〜６８ｃを有し、記録媒体を記録媒体補給部１６から記録媒体蓄積部２０ａ，２０ｂへ搬送する。記録媒体蓄積部２０ａ，２０ｂそれぞれは、制御部の制御により、記録媒体の種類に応じて記録媒体を蓄積する。ＵＩ部２４により指定された種類の記録媒体を蓄積する記録媒体蓄積部２０ａ，２０ｂいずれかから、画像形成部１４へ記録媒体が搬送されるように、制御部２６はピックアップロール７８ａ，７８ｂなどを制御する。【選択図】          図１
2005242079.tif 000002
【特許請求の範囲】
【請求項１】
記録媒体に画像を形成する画像形成部と、この画像形成部に供給される記録媒体を蓄積する記録媒体蓄積部と、この記録媒体蓄積部に蓄積される記録媒体を補給する記録媒体補給部とを有し、前記記録媒体補給部は、前記画像形成部の上部に配置され、前記記録媒体蓄積部は、前記画像形成部の下部に配置されていることを特徴とする画像形成装置。
【請求項２】
記録媒体が排出される排出部をさらに有し、前記排出部は、前記記録媒体補給部の上方に配置されていることを特徴とする請求項１記載の画像形成装置。
【請求項３】
記録媒体が排出される排出部をさらに有し、前記排出部は、前記記録媒体補給部と前記画像形成部との間に配置されていることを特徴とする請求項１記載の画像形成装置。
【請求項４】
前記記録媒体補給部が記録媒体の種類に基づいて記録媒体を前記記録媒体蓄積部に補給するように制御する制御手段を有することを特徴とする請求項１乃至３いずれか記載の画像形成装置。
【請求項５】
原稿に形成された画像を読取る原稿読取り装置をさらに有し、前記原稿読取り装置に前記記録媒体補給部を設けてなることを特徴とする請求項１乃至４いずれか記載の画像形成装置。
【請求項６】
記録媒体を反転させる記録媒体反転部をさらに有し、前記記録媒体補給部は、前記記録媒体反転部を介して前記記録媒体蓄積部に記録媒体を補給することを特徴とする請求項１乃至５いずれか記載の画像形成装置。
【請求項７】
前記記録媒体補給部は、前記画像形成部が非動作中に記録媒体を前記記録媒体蓄積部に補給することを特徴とする請求項１乃至６いずれか記載の画像形成装置。
【請求項８】
前記記録媒体補給部は、前記画像形成部の動作状態にかかわらず、記録媒体を受入れることを特徴とする請求項１乃至７いずれか記載の画像形成装置。
【発明の詳細な説明】
【技術分野】
【０００１】
本発明は、プリンタ、複写機又はファクシミリ等の画像形成装置に関するものである。
【背景技術】
【０００２】
画像形成装置として、画像が形成される記録媒体を収容する記録媒体収容部の上方に、画像を記録媒体に形成する画像形成部が配置されているものが知られている。この種の画像形成装置においては、しゃがんだ状態や腰を曲げた状態で記録媒体収容部に記録媒体を補給することとなり、記録媒体の補給作業が困難になることがある。この記録媒体の補給作業を容易化するために記録媒体収容部を画像形成部の上方に配置することは公知である（特許文献１参照）。
【０００３】
【特許文献１】特開２００２−９１１０５号公報
【発明の開示】
【発明が解決しようとする課題】
【０００４】
しかしながら、上記従来例においては、画像形成部の上方に収容されている記録媒体は、画像形成の動作が開始してから記録媒体収容部の下方に位置する画像形成部へ搬送され、画像が形成された後に、記録媒体収容部の上方に位置する排出部に排出される。したがって、画像形成動作を開始してから、最初に画像を形成された記録媒体が排出されるまでの時間（第１コピー排出時間）が長くなるという問題があった。
【０００５】
そこで、本発明は、画像形成動作を開始してから最初に画像を形成された記録媒体が排出されるまでの時間を短くしつつ、記録媒体を容易に補給することができる画像形成装置を提供することを目的とする。
【課題を解決するための手段】
【０００６】
上記目的を達成するため、本発明の特徴とするところは、記録媒体に画像を形成する画像形成部と、この画像形成部に供給される記録媒体を蓄積する記録媒体蓄積部と、この記録媒体蓄積部に蓄積される記録媒体を補給する記録媒体補給部とを有し、前記記録媒体補給部は、前記画像形成部の上部に配置され、前記記録媒体蓄積部は、前記画像形成部の下部に配置されている画像形成装置にある。即ち、記録媒体補給部が画像形成部の上部に配置されているので、ユーザがしゃがんだり、腰を曲げたりしなくても、記録媒体を容易に補給することができ、記録媒体蓄積部が画像形成部の下部に配置されているので、画像形成部に記録媒体蓄積部から略鉛直方向に記録媒体を供給することができる。したがって、画像形成動作を開始してから最初に画像を形成された記録媒体が排出されるまでの時間を短くしつつ、記録媒体を容易に補給することができる。
【０００７】
好適には、記録媒体が排出される排出部をさらに有し、前記排出部は、前記記録媒体補給部の上方、又は前記記録媒体補給部と前記画像形成部との間に配置されている。したがって、排出された記録媒体をユーザが容易に取り出すことができる。
【０００８】
また、好適には、前記記録媒体補給部が記録媒体の種類に基づいて記録媒体を前記記録媒体蓄積部に補給するように制御する制御手段を有する。したがって、ユーザが記録媒体の種類を考慮することなく記録媒体を記録媒体補給部に補給しても、記録媒体の種類に基づいて記録媒体を記録媒体蓄積部に蓄積することができる。
【０００９】
また、好適には、原稿に形成された画像を読取る原稿読取り装置をさらに有し、前記原稿読取り装置に前記記録媒体補給部を設けてなる。即ち、原稿読取装置は、記録媒体補給部を兼ねることができる。
【００１０】
また、好適には、記録媒体を反転させる記録媒体反転部をさらに有し、前記記録媒体補給部は、前記記録媒体反転部を介して前記記録媒体蓄積部に記録媒体を補給する。即ち、記録媒体反転部を介して記録媒体補給部から記録媒体蓄積部へ記録媒体を搬送することができるので、記録媒体補給部から記録媒体蓄積部へ記録媒体を搬送する搬送路を新たに設けることなく記録媒体を記録媒体蓄積部に蓄積することができる。
【００１１】
前記記録媒体補給部は、前記画像形成部が非動作中に記録媒体を前記記録媒体蓄積部に補給する。即ち、記録媒体蓄積部には、画像形成部が非動作中に記録媒体が蓄積されるので、画像形成部が画像を形成する際に用いる搬送路と、記録媒体補給部から記録媒体蓄積部に記録媒体を搬送する搬送路とを兼用することができる。また、画像を形成するために記録媒体蓄積部から画像形成部に供給される記録媒体と、記録媒体補給部から記録媒体蓄積部に補給される記録媒体とが衝突することを防止することができる。
【００１２】
また、好適には、前記記録媒体補給部は、前記画像形成部の動作状態にかかわらず、記録媒体を受入れる。即ち、画像形成部には、記録媒体蓄積部から記録媒体が搬送されるので、画像形成部が記録媒体に画像を形成している場合にも、ユーザは記録媒体補給部に記録媒体を補給することができる。
【発明の効果】
【００１３】
本発明によれば、画像形成動作を開始してから最初に画像を形成された記録媒体が排出されるまでの時間を短くしつつ、記録媒体を容易に補給することができる。
【発明を実施するための最良の形態】
【００１４】
次に、本発明の第１の実施形態を図面に基づいて説明する。
図１において、本発明の第１の実施形態に係る画像形成装置１０が示されている。
図１に示すように、第１の実施形態の画像形成装置１０は、原稿読取り装置１２、画像形成部１４、記録媒体補給部１６、記録媒体転送部１８、記録媒体蓄積部２０ａ，２０ｂ、記録媒体反転部２２、ユーザインタフェース部（ＵＩ部）２４及び制御部２６を有し、画像形成装置１０を構成する各部を制御部２６が制御する。この画像形成装置１０は、例えばパーソナルコンピュータ（図示せず）などから受信した画像データを印刷するプリンタ機能、原稿読取り装置１２を用いたフルカラー複写機としての機能、及び、ファクシミリとしての機能を有する。尚、本実施形態では、画像形成部１４は、後述するようにゼログラフィ方式のものであるが、これに限定されることなく、例えばインクジェット方式などにより画像を形成するものであってもよい。
【００１５】
画像形成装置１０の上部には、原稿読取り装置１２、ＵＩ部２４及び制御部２６が配置されている。原稿読取り装置１２は、原稿送り部２８及び画像読取り部３０を有し、原稿送り部２８と画像読取り部３０との間にプラテンガラス３２が設けられている。原稿送り部２８は、プラテンカバー３４、記録媒体載置部３６、搬送路３８、ピックアップロール４０及び原稿排出部４２を有する。画像を形成された原稿は、記録媒体載置部３６に載置されると、ピックアップロール４０によりピックアップされて搬送路３８に導かれ、プラテンガラス３２の上面とプラテンカバー３４との間を通されて、原稿排出部４２に排出される。
【００１６】
画像読取り部３０は、プラテンガラス３２の上面とプラテンカバー３４との間を通る原稿を照明する光源４４と、フルレートミラー４６、第１のハーフレートミラー４８、第２のハーフレートミラー５０及び結像レンズ５２からなる縮小光学系と、ＣＣＤ等からなる画像読取素子５４とを有する。プラテンガラス３２の上面とプラテンカバー３４との間を通る原稿が光源４４により照明されると、原稿からの反射光が縮小光学系を介して画像読取素子５４上に走査露光され、この画像読取素子５４により原稿の色材反射光像が所定のドット密度で読取られる。
このように、原稿読取り装置１２は、例えば画像形成装置１０がフルカラー複写機として動作する場合に、プラテンガラス３２とプラテンカバー３４との間で原稿の色材反射光像を所定のドット密度で読取り、読取った色材反射光像のデータを制御部２６に対して出力する。
【００１７】
ＵＩ部２４は、例えばタッチパネルなどからなり、ユーザによる画像形成装置１０に対する印刷指示及び設定などを受入れると共に、画像形成装置１０に対する設定状況などを表示する。
制御部２６は、画像読取素子５４の近傍に配置されている。
【００１８】
原稿読取り装置１２の下方には、画像を形成された記録媒体を排出される排出部５６が配置されており、この排出部５６の下方には、記録媒体補給部１６が配置されている。記録媒体補給部１６は、例えば画像形成装置１０の正面側（図１において正面側）に引き出されて、記録媒体が補給される。また、記録媒体補給部１６は、例えば記録媒体のサイズ、色又は状態（図３参照）などの記録媒体の種類を検知する検知部６０を有し、この検知部６０により検知された結果を制御部２６に対して出力する。記録媒体補給部１６の右側（図１において右側）には、記録媒体補給部１６から記録媒体をピックアップするピックアップロール６２が設けられており、ピックアップロール６２の下流側に記録媒体を供給するフィードロール６４、及び、供給される記録媒体を１枚ずつ捌くリタードロール６６が設けられている。
【００１９】
像形成装置１０の右側には、記録媒体転送部１８が配置されている。記録媒体転送部１８は、記録媒体を搬送する搬送ロール６８ａ〜６８ｃを有し、記録媒体を上方から下方に向けて搬送する。また、記録媒体転送部１８の搬送ロール６８ａ〜６８ｃの下流側は、後述する転送路７４が分岐して、レジストロール７０ａ，７０ｂ及び搬入ロール７２ａ，７２ｂがそれぞれ設けられている。
【００２０】
レジストロール７０ａ，７０ｂは、記録媒体を一時停止させ、タイミングをとって搬入ロール７２ａ，７２ｂへ導く。搬入ロール７２ａ，７２ｂは、記録媒体の搬送方向先端が記録媒体蓄積部２０ａ，２０ｂの奥端（図１において左側端）に当接するまで搬送し、記録媒体を記録媒体蓄積部２０ａ，２０ｂの最上部に搬入する。つまり、レジストロール７０ａ，７０ｂは、搬入ロール７２ａ，７２ｂが記録媒体を搬送し終える前に、次の記録媒体が搬入ロール７２ａ，７２ｂへ導かれないように、記録媒体を一時停止させ、タイミングをとって搬入ロール７２ａ，７２ｂへ導くようにされている。
【００２１】
転送路７４は、フィードロール６４から搬送ロール６８ａ〜６８ｃを通って記録媒体蓄積部２０ａ，２０ｂまでの記録媒体通路であり、記録媒体転送部１８内に略垂直に形成され、下流側が例えば２つに分岐している。転送路７４の分岐点には、切換板７６が設けられており、制御部２６は、検知部６０の検知結果と、後述するメモリ１３６に記憶されている記録媒体の指定蓄積場所とにより、転送路７４を通る記録媒体がレジストロール７０ａ，７０ｂのいずれかに向けて搬送されるように切換板７６を制御する。
【００２２】
したがって、記録媒体補給部１６からピックアップロール６２によりピックアップされた記録媒体は、フィードロール６４により送り出され、リタードロール６６により捌かれて最上部の記録媒体のみ転送路７４に導かれ、レジストロール７０ａ，７０ｂいずれかにより一時停止され、タイミングをとって搬入ロール７２ａ，７２ｂいずれかにより記録媒体蓄積部２０ａ，２０ｂいずれかに搬入される。このように、記録媒体補給部１６に補給された記録媒体は、例えば画像形成部１４が停止している場合（非動作中）に、記録媒体蓄積部２０ａ，２０ｂへ順次転送され、記録媒体蓄積部２０ａ，２０ｂに蓄積される。また、ピックアップロール６２は、例えば画像形成部１４が動作している場合には、記録媒体をピックアップしないようにされている。つまり、記録媒体補給部１６は、画像形成部１４の動作状態にかかわらず記録媒体の補給を受入れ、記録媒体蓄積部２０ａ，２０ｂは、記録媒体補給部１６から転送された記録媒体を蓄積する。
【００２３】
記録媒体蓄積部２０ａ，２０ｂの左側（図１において左側）には、記録媒体蓄積部２０ａ，２０ｂから記録媒体をピックアップするピックアップロール７８ａ，７８ｂがそれぞれ設けられており、ピックアップロール７８ａ，７８ｂの下流側に記録媒体を供給するフィードロール８０ａ，８０ｂ、及び、供給される記録媒体を１枚ずつ捌くリタードロール８２ａ，８２ｂがそれぞれ設けられている。
【００２４】
搬送路８４は、フィードロール８０ａ，８０ｂから後述する定着装置９８を通って排出部５６までの記録媒体通路であり、画像形成装置１０内の左側（図１において左側）に略垂直に形成されている。この搬送路８４の定着装置９８の上流側に後述する二次転写ロール１２４と二次転写バックアップロール１１８とが配置され、二次転写ロール１２４と二次転写バックアップロール１１８の上流側にレジストロール８６が配置されている。また、搬送路８４の排出口の近傍には排出ロール８８が配置されている。
【００２５】
したがって、記録媒体蓄積部２０ａ，２０ｂからピックアップロール７８ａ，７８ｂによりピックアップされた記録媒体は、フィードロール８０ａ，８０ｂにより送り出され、リタードロール８２ａ，８２ｂにより捌かれて最上部の記録媒体のみ搬送路８４に導かれ、レジストロール８６により一時停止され、タイミングをとって後述する二次転写ロール１２４と二次転写バックアップロール１１８との間を通ってトナー像が転写され、この転写されたトナー像が定着装置９８により定着され、排出ロール８８により原稿読取り装置１２と記録媒体補給部１６との間に位置する排出部５６へ排出される。
ただし、両面印刷の場合には、排出ロール８８が反転し、記録媒体は、画像形成装置１０の左側（図１において左側）に配置された記録媒体反転部２２の反転路９０に導かれ、搬送ロール９２ａ〜９２ｃにより搬送されて、再びレジストロール８６へ戻され、二次転写ロール１２４と二次転写バックアップロール１１８との間、及び定着装置９８を通って排出部５６へ排出されるものである。
【００２６】
画像形成部１４は、画像形成モジュール９４ａ〜９４ｄ、中間転写装置９６及び定着装置９８を有し、記録媒体補給部１６と記録媒体蓄積部２０ａ，２０ｂとの間に配置されている。
画像形成モジュール９４ａ〜９４ｄは、画像形成部１４の下部に配置され、画像形成部１４の上部に設けられたトナーボックス１００ａ〜１００ｄに含まれるイエロー（Ｙｅｌｌｏｗ）、マゼンタ（Ｍａｇｅｎｔａ）、シアン（Ｃｙａｎ）及び黒（Ｂｌａｃｋ）の４色のトナーをそれぞれ受入れるようにされている。また、画像形成モジュール９４ａ〜９４ｄは、感光体１０２ａ〜１０２ｄ、帯電器１０４ａ〜１０４ｄ、光書込み装置（ＲＯＳ）１０６ａ〜１０６ｄ、現像器１０８ａ〜１０８ｄ及びクリーニング装置１１０ａ〜１１０ｄがそれぞれ収納されている。
【００２７】
帯電器１０４ａ〜１０４ｄは、感光体１０２ａ〜１０２ｄを一様に帯電する。光書込み装置１０６ａ〜１０６ｄは、画像形成モジュール９４ａ〜９４ｄの下部に配置され、帯電された感光体１０２ａ〜１０２ｄに向けて走査光を発することにより、感光体１０２ａ〜１０２ｄにそれぞれ潜像を形成する。現像器１０８ａ〜１０８ｄは、感光体１０２ａ〜１０２ｄに形成された潜像をイエロー（Ｙｅｌｌｏｗ）、マゼンタ（Ｍａｇｅｎｔａ）、シアン（Ｃｙａｎ）及び黒（Ｂｌａｃｋ）の４色のトナーによってそれぞれ可視化されたトナー像にする。クリーニング装置１１０ａ〜１１０ｄは、感光体１０２ａ〜１０２ｄからトナー像が後述する中間転写体１１２に転写された後に、感光体１０２ａ〜１０２ｄに残ったトナーをクリーニングする。
【００２８】
中間転写装置９６は、トナーボックス１００ａ〜１００ｄと画像形成モジュール９４ａ〜９４ｄとの間に配置され、例えばベルト状の中間転写体１１２、駆動ロール１１４、一次転写ロール１１６ａ〜１１６ｄ、二次転写バックアップロール１１８、支持ロール１２０及びテンションロール１２０を有する。この中間転写装置９６は、感光体１０２ａ〜１０２ｄから中間転写体１１２へ一次転写されたトナー像を、二次転写バックアップロール１１８に対峙する二次転写ロール１２４と二次転写バックアップロール１１８との間で記録媒体に二次転写するようにされている。
【００２９】
また、中間転写体１１２の反二次転写位置側には、中間転写体１１２をクリーニングするクリーニング装置１２６が設けられている。このクリーニング装置１２６は、例えば二次転写後に中間転写体１１２に残ったトナーを掻き取るブレード１２８を有する。
【００３０】
定着装置９８は、加熱ロール１３０と加圧ロール１３２とを有し、二次転写ロール１２４及び二次転写バックアップロール１１８により記録媒体に二次転写されたトナー像を記録媒体に定着させ、排出ロール８８に向けて搬送する。
【００３１】
図２は、本発明の第１の実施形態に係る画像形成装置１０の構成を示すブロック図である。
図２に示すように、制御部２６は、ＣＰＵ１３４及びメモリ１３６を有し、上述したように画像形成装置１０を構成する各部を制御する。メモリ１３６は、例えば図３に示したように、記録媒体の種類（記録媒体のサイズ、色及び状態等）に対して、記録媒体蓄積部２０ａ，２０ｂのいずれかを指定蓄積場所として記憶する。なお、メモリ１３６に記憶される指定蓄積場所は、例えばＵＩ部２４を介して設定される。また、指定蓄積場所に設定される記録媒体の種類は、検知部６０により検知される記録媒体の種類に対応するようにされている。
【００３２】
次に、画像形成装置１０が記録媒体を指定蓄積場所に蓄積する動作について説明する。
図４は、画像形成装置１０が記録媒体を指定蓄積場所に蓄積する動作を示すフローチャート（Ｓ１０）である。
図４に示すように、ステップ１００（Ｓ１００）において、ユーザは、記録媒体補給部１６に記録媒体を補給する。
【００３３】
ステップ１０２（Ｓ１０２）において、制御部２６は、画像形成部１４が動作中であるか否かを判定する。画像形成部１４が非動作中である場合にはＳ１０４の処理に進み、画像形成部１４が動作中である場合には処理を終了する。
【００３４】
ステップ１０４（Ｓ１０４）において、記録媒体補給部１６の検知部６０は、記録媒体補給部１６に補給された記録媒体の種類を検知する。
【００３５】
ステップ１０６（Ｓ１０６）において、制御部２６のＣＰＵ１３４は、メモリ１３６に記憶されている記録媒体の種類に対応する指定蓄積場所（図３）を確認する。
【００３６】
ステップ１０８（Ｓ１０８）において、ＣＰＵ１３４は、記録媒体補給部１６に補給された記録媒体が対応する記録媒体蓄積部２０ａ，２０ｂいずれか（指定蓄積場所）に転送されるように切換板７６を切換える。
【００３７】
ステップ１１０（Ｓ１１０）において、画像形成装置１０は、制御部２６の制御により、記録媒体補給部１６に補給された最上部の記録媒体を記録媒体の種類に対応した指定蓄積場所に転送し、蓄積する。
【００３８】
ステップ１１２（Ｓ１１２）において、制御部２６は、記録媒体を指定蓄積場所に蓄積することが完了したか否かを判定する。即ち、指定蓄積場所が満杯になった場合、又は、記録媒体補給部１６が空になった場合に、制御部２６は、記録媒体を指定蓄積場所に蓄積することが完了したと判定し処理を終了する。その他の場合には、記録媒体の蓄積が完了していないと判定し、Ｓ１０２の処理に進む。
【００３９】
このように、画像形成部１４が動作中には、記録媒体を指定蓄積場所に蓄積する処理は終了するので、ユーザは、画像形成部１４の動作によらず、記録媒体の補給（Ｓ１００）を行うことができる。また、記録媒体は、一枚ごとに画像形成部１４が動作中か否かを判定されて転送されるので、例えば記録媒体の転送を継続している際に、画像形成装置１０が印刷指示を受入れると、割り込み印刷をすることができる。記録媒体の転送は、割り込み印刷よりも優先されてもよい。また、画像形成装置１０は、一枚ごとに記録媒体の種類を検知し、指定蓄積場所を確認して、記録媒体を指定蓄積場所に転送しているので、記録媒体補給部１６に複数の種類の記録媒体が混在して載置されても、記録媒体の種類に応じた指定蓄積場所に記録媒体を振り分けて蓄積することができる。
【００４０】
次に、本発明の第１の実施形態の作用について説明する。
図３に示したように、記録媒体蓄積部２０ａがＡ４サイズの記録媒体の指定蓄積場所であり、記録媒体蓄積部２０ｂがＡ３サイズの記録媒体の指定蓄積場所である場合を具体例として説明する。また、検知部６０は例えば記録媒体のサイズを検知する。
【００４１】
記録媒体補給部１６に例えばＡ４サイズの記録媒体が補給される（Ｓ１００）と、制御部２６は、画像形成部１４が動作中であるか否かを判定する（Ｓ１０２）。画像形成部１４が非動作中に、検知部６０は、記録媒体のサイズ（種類）を検知し（Ｓ１０４）、記録媒体のサイズがＡ４であることを制御部２６に対して出力する。制御部２６は、メモリ１３６に記憶されている記録媒体の種類に対応する指定蓄積場所（図３）を確認し（Ｓ１０６）、検知部６０の検知結果とメモリ１３６に記憶されている指定蓄積場所とにより、記録媒体が記録媒体蓄積部２０ａに転送されるように切換板７６を切り替える（Ｓ１０８）。サイズを検知された記録媒体は、ピックアップロール６２によりピックアップされて、フィードロール６４により送り出され、リタードロール６６により捌かれて転送路７４に導かれる。転送路７４に導かれた記録媒体のサイズがＡ４なので、制御部２６の制御により、記録媒体はレジストロール７０ａへ向けて搬送される。
【００４２】
レジストロール７０ａに搬送された記録媒体は、一時停止され、タイミングをとって搬入ロール７２ａにより記録媒体蓄積部２０ａに導かれる。搬入ロール７２ａは、記録媒体の搬送方向先端が記録媒体蓄積部２０ａの奥端（図１において左側端）に当接するまで記録媒体を搬送し、記録媒体蓄積部２０ａの最上部に搬入する（Ｓ１１０）。
このように、記録媒体補給部１６に補給された記録媒体は、検知部６０の検知結果によって、記録媒体蓄積部２０ａ，２０ｂいずれかに記録媒体転送部１８を介して順次転送され、記録媒体蓄積部２０ａ，２０ｂいずれかの指定蓄積場所に蓄積される。指定蓄積場所が満杯になった場合、又は、記録媒体補給部１６が空になった場合に、制御部２６は、記録媒体を指定蓄積場所に蓄積することが完了したと判定し処理を終了する（Ｓ１１２）。
【００４３】
ＵＩ部２４などにより、例えばＡ４サイズの記録媒体に画像を形成する画像形成信号が入力されると、制御部２６は、メモリ１３６に記憶されている指定蓄積場所を参照し、記録媒体蓄積部２０ａを選択して、記録媒体蓄積部２０ａから記録媒体が画像形成部１４へ搬送されるようにピックアップロール７８ａ，フィードロール８０ａ及びリタードロール８２ａなどを制御する。画像形成部１４は、入力された画像データに従って、潜像を感光体１０２ａ〜１０２ｄに形成する。感光体１０２ａ〜１０２ｄに形成された潜像は、現像器１０８ａ〜１０８ｄによりそれぞれの色のトナーで現像されてトナー像となり、感光体１０２ａ〜１０２ｄに形成されたトナー像は中間転写体１１２に重ねて一次転写される。中間転写体１１２に一次転写されたトナー像は、二次転写ロール１２４と二次転写バックアップロール１１８とにより、画像形成部１４へ搬送された記録媒体に二次転写され、定着装置９８によって記録媒体に定着される。画像が定着された記録媒体は、排出ロール８８を介して排出部５６に排出される。
【００４４】
ただし、両面印刷の場合には、排出ロール８８が反転し、記録媒体は、記録媒体反転部２２の反転路９０に導かれ、搬送ロール９２ａ〜９２ｃにより搬送されて、再びレジストロール８６へ戻され、二次転写ロール１２４と二次転写バックアップロール１１８との間、及び定着装置９８を通って排出部５６へ排出される。
【００４５】
また、記録媒体補給部１６にＡ３サイズの記録媒体が補給された場合には、検知部６０は、記録媒体のサイズがＡ３であることを制御部２６に対して出力する。制御部２６のＣＰＵ１３４は、検知部６０の検知結果とメモリ１３６に記憶されている指定蓄積場所とにより、記録媒体が記録媒体蓄積部２０ｂに蓄積されるように、記録媒体補給部１６及び記録媒体転送部１８などを制御する。記録媒体蓄積部２０ｂにＡ３サイズの記録媒体が蓄積されると、ＵＩ部２４などにより、例えばＡ３サイズの記録媒体に画像を形成する画像形成信号が入力された場合に、記録媒体蓄積部２０ｂは、画像形成部１４へＡ３サイズの記録媒体を供給する。画像形成部１４に搬送された記録媒体は、画像形成部１４により画像が形成されて排出部５６に排出される。
【００４６】
また、検知部６０が例えば記録媒体の色又は未使用用紙であるか否か（記録媒体の状態）などを検知し、制御部２６の制御により、検知部６０の検知結果に従って記録媒体蓄積部２０ａ，２０ｂいずれかが選択されて、選択された指定蓄積場所に記録媒体が蓄積されるようにしてもよい。
また、記録媒体は、記録媒体蓄積部２０ａ，２０ｂに蓄積されることなく、画像形成部１４へ搬送されるようにしてもよい。
【００４７】
次に、本発明の第２の実施形態を図面に基づいて説明する。
図５において、本発明の第２の実施形態に係る画像形成装置１０が示されている。
また、図６において、図５に示した画像形成装置１０の構成を示すブロック図が示されている。
なお、第２の実施形態に係る画像形成装置１０において、第１の実施形態に係る画像形成装置１０と実質的に同じものには、同一の符号が付してある。
【００４８】
第２の実施形態に係る画像形成装置１０は、図１に示した記録媒体補給部１６が設けられておらず、画像形成装置１０の上部に設けられた原稿読取り装置１３８が記録媒体補給部を兼ねており、原稿読取り装置１３８と排出部５６との間に、原稿読取り装置１３８から記録媒体転送部１８へ記録媒体を搬送する記録媒体搬送部１４０を有する。
【００４９】
原稿読取り装置１３８は、原稿送り部１４２及び画像読取り部３０を有し、原稿送り部１４２と画像読取り部３０との間にプラテンガラス３２が設けられている。原稿送り部１４２は、第１の実施形態に係る画像形成装置１０の原稿送り部２８に対し、検知部１４４及び切換板１４６をさらに有する点で異なる。検知部１４４は、例えば記録媒体のサイズ、色又は状態（図３参照）などの記録媒体の種類を検知し、検知された結果を制御部２６に対して出力する。また、記録媒体蓄積部２０ａ，２０ｂ（指定蓄積場所）それぞれに設定される記録媒体の種類は、検知部１４４により検知される記録媒体の種類に対応するようにされている。切換板１４６は、例えばＵＩ部２４を介したユーザの指示により、制御部２６の制御にしたがって切換えられ、画像を形成されている原稿を搬送路３８に導き、画像形成部１４により画像を形成される記録媒体を記録媒体搬送部１４０に導く。
【００５０】
記録媒体搬送部１４０は、搬送ロール１４８ａ〜１４８ｄを有し、原稿読取り装置１３８から記録媒体転送部１８への記録媒体通路である搬送路１５０が形成されている。記録媒体転送部１８は、搬送ロール６８ａ〜６８ｄが設けられており、記録媒体搬送部１４０により搬送された記録媒体を記録媒体蓄積部２０ａ，２０ｂのいずれかに向けて搬送する。
【００５１】
次に、本発明の第２の実施形態の作用について説明する。
図３に示したように、記録媒体蓄積部２０ａがＡ４サイズの記録媒体の指定蓄積場所であり、記録媒体蓄積部２０ｂがＡ３サイズの記録媒体の指定蓄積場所である場合を具体例として説明する。また、検知部１４４は例えば記録媒体のサイズを検知する。
【００５２】
原稿読取り装置１３８に例えばＡ４サイズの記録媒体が補給される（Ｓ１００）と、制御部２６は、画像形成部１４が動作中であるか否かを判定する（Ｓ１０２）。画像形成部１４が非動作中に、検知部１４４は、記録媒体のサイズ（種類）を検知し（Ｓ１０４）、記録媒体のサイズがＡ４であることを制御部２６に対して出力する。制御部２６は、メモリ１３６に記憶されている記録媒体の種類に対応する指定蓄積場所（図３）を確認し（Ｓ１０６）、検知部１４４の検知結果とメモリ１３６に記憶されている指定蓄積場所とにより、記録媒体が記録媒体蓄積部２０ａに転送されるように切換板１４６，７６を切り替える（Ｓ１０８）。サイズを検知された記録媒体は、ピックアップロール４０によりピックアップされて、記録媒体搬送部１４０を介して転送路７４に導かれる。転送路７４に導かれた記録媒体のサイズがＡ４なので、制御部２６の制御により、記録媒体はレジストロール７０ａへ向けて搬送される。
なお、画像形成装置１０が例えば原稿読取り装置１３８を用いたフルカラー複写機として用いられる場合には、原稿読取り装置１３８の記録媒体載置部３６に載置された原稿は、画像読取り部３０により画像が読取られると原稿排出部４２へ排出され、記録媒体搬送部１４０へは送り出されない。
【００５３】
レジストロール７０ａに搬送された記録媒体は、一時停止され、タイミングをとって搬入ロール７２ａにより記録媒体蓄積部２０ａに導かれる。搬入ロール７２ａは、記録媒体の搬送方向先端が記録媒体蓄積部２０ａの奥端（図５において左側端）に当接するまで記録媒体を搬送し、記録媒体蓄積部２０ａの最上部に搬入する（Ｓ１１０）。
このように、原稿読取り装置１３８に補給された記録媒体は、検知部１４４の検知結果によって、記録媒体蓄積部２０ａ，２０ｂいずれかに記録媒体転送部１８を介して順次転送され、記録媒体蓄積部２０ａ，２０ｂいずれかの指定蓄積場所に蓄積される。指定蓄積場所が満杯になった場合、又は、記録媒体補給部１６が空になった場合に、制御部２６は、記録媒体を指定蓄積場所に蓄積することが完了したと判定し処理を終了する（Ｓ１１２）。
【００５４】
ＵＩ部２４などにより、例えばＡ４サイズの記録媒体に画像を形成する画像形成信号が入力されると、記録媒体蓄積部２０ａに蓄積された記録媒体は、第１の実施形態に係る画像形成装置１０と同様に画像を形成され、排出部５６に排出される。
【００５５】
また、原稿読取り装置１３８にＡ３サイズの記録媒体が補給された場合には、検知部１４４は、記録媒体のサイズがＡ３であることを制御部２６に対して出力する。制御部２６のＣＰＵ１３４は、検知部１４４の検知結果とメモリ１３６に記憶されている指定蓄積場所とにより、記録媒体が記録媒体蓄積部２０ｂに蓄積されるように、原稿読取り装置１３８、記録媒体搬送部１４０及び記録媒体転送部１８などを制御する。記録媒体蓄積部２０ｂにＡ３サイズの記録媒体が蓄積されると、ＵＩ部２４などにより、例えばＡ３サイズの記録媒体に画像を形成する画像形成信号が入力された場合に、記録媒体蓄積部２０ｂは、画像形成部１４へＡ３サイズの記録媒体を供給する。画像形成部１４に搬送された記録媒体は、画像形成部１４により画像が形成されて排出部５６に排出される。
【００５６】
次に、本発明の第３の実施形態を図面に基づいて説明する。
図７において、本発明の第３の実施形態に係る画像形成装置１０が示されている。
また、図８において、図７に示した画像形成装置１０の構成を示すブロック図が示されている。
なお、第３の実施形態に係る画像形成装置１０において、第１の実施形態に係る画像形成装置１０と実質的に同じものには、同一の符号が付してある。
【００５７】
第３の実施形態に係る画像形成装置１０は、図１、図２に示した記録媒体転送部１８が設けられておらず、記録媒体補給部１６から画像形成装置１０の左側（図７において左側）に配置された記録媒体反転部１５２の反転路９０への記録媒体通路である搬送路１５４と、反転路９０から記録媒体蓄積部２０ａ，２０ｂへの記録媒体通路である搬送路１５６ａ，１５６ｂを有する。
【００５８】
記録媒体補給部１６の左側（図７において左側）には、記録媒体補給部１６から記録媒体をピックアップするピックアップロール６２が設けられており、ピックアップロール６２の下流側に記録媒体を供給するフィードロール６４、及び、供給される記録媒体を１枚ずつ捌くリタードロール６６が設けられている。つまり、記録媒体補給部１６に補給された記録媒体は、例えば画像形成部１４が停止している場合に、画像形成装置１０の左側に配置された記録媒体反転部１５２に向けて送り出される。
【００５９】
画像形成装置１０の下部に配置された記録媒体蓄積部２０ａ，２０ｂの左側（図７において左側）には、記録媒体蓄積部２０ａ，２０ｂから記録媒体をピックアップするピックアップロール１５８ａ，１５８ｂがそれぞれ設けられており、ピックアップロール１５８ａ，１５８ｂの下流側に記録媒体を供給するフィードロール１６０ａ，１６０ｂ、及び、供給される記録媒体を１枚ずつ捌くリタードロール１６２ａ，１６２ｂがそれぞれ設けられている。また、ピックアップロール１５８ａ，１５８ｂ、フィードロール１６０ａ，１６０ｂ及びリタードロール１６２ａ，１６２ｂは、制御部２６の制御により反転するようにされている。
【００６０】
つまり、第３の実施形態に係る画像形成装置１０には、搬送路１５４及び反転路９０の一部を通り、搬送路１５６ａ，１５６ｂいずれかに分岐されて、記録媒体補給部１６から記録媒体蓄積部２０ａ，２０ｂいずれかへ記録媒体を転送する転送路が形成されている。反転路９０から搬送路１５６ａ，１５６ｂへの分岐点、及び搬送路１５６ａと搬送路１５６ｂとの分岐点には、切換板１６４ａ，１６４ｂがそれぞれ設けられている。制御部２６は、検知部６０の検知結果とメモリ１３６に記憶されている指定蓄積場所とにより、記録媒体補給部１６から転送される記録媒体がフィードロール１６０ａ，リタードロール１６２ａ又はフィードロール１６０ｂ，リタードロール１６２ｂいずれかに向けて搬送されるように切換板１６４ａ，１６４ｂを制御する。
なお、両面印刷の場合には、切換板１６４ａは、制御部２６の制御により、記録媒体がレジストロール８６に向けて搬送されるように切換えられる。
【００６１】
次に、本発明の第３の実施形態の作用について説明する。
図３に示したように、記録媒体蓄積部２０ａがＡ４サイズの記録媒体の指定蓄積場所であり、記録媒体蓄積部２０ｂがＡ３サイズの記録媒体の指定蓄積場所である場合を具体例として説明する。また、検知部６０は例えば記録媒体のサイズを検知する。
【００６２】
記録媒体補給部１６に例えばＡ４サイズの記録媒体が補給される（Ｓ１００）と、制御部２６は、画像形成部１４が動作中であるか否かを判定する（Ｓ１０２）。画像形成部１４が非動作中に、検知部６０は、記録媒体のサイズ（種類）を検知し（Ｓ１０４）、記録媒体のサイズがＡ４であることを制御部２６に対して出力する。制御部２６は、メモリ１３６に記憶されている記録媒体の種類に対応する指定蓄積場所（図３）を確認し（Ｓ１０６）、検知部６０の検知結果とメモリ１３６に記憶されている指定蓄積場所とにより、記録媒体が記録媒体蓄積部２０ａに転送されるように切換板１６４ａ，１６４ｂを切り替える（Ｓ１０８）。サイズを検知された記録媒体は、ピックアップロール６２によりピックアップされて、フィードロール６４により送り出され、リタードロール６６により捌かれて、搬送路１５４を通って反転路９０へ導かれる。反転路９０に導かれた記録媒体のサイズがＡ４なので、制御部２６の制御により、記録媒体は搬送路１５６ａを通って、フィードロール１６０ａ，リタードロール１６２ａに向けて搬送される。
【００６３】
フィードロール１６０ａ，リタードロール１６２ａに搬送された記録媒体は、フィードロール１６０ａ，リタードロール１６２ａにより一時停止され、タイミングをとってピックアップロール１５８ａにより記録媒体蓄積部２０ａに導かれる。つまり、記録媒体補給部１６から記録媒体蓄積部２０ａへ記録媒体が転送される場合には、フィードロール１６０ａ，リタードロール１６２ａは、第１の実施形態におけるレジストロール７０ａ（図１）のように動作する。
【００６４】
ピックアップロール１５８ａは、記録媒体の搬送方向先端が記録媒体蓄積部２０ａの右端（図７において右側端）に当接するまで記録媒体を搬送し、記録媒体蓄積部２０ａの最上部に搬入する（Ｓ１１０）。つまり、記録媒体補給部１６から記録媒体蓄積部２０ａへ記録媒体が転送される場合には、ピックアップロール１５８ａは、第１の実施形態における搬入ロール７２ａ（図１）のように動作する。
このように、記録媒体補給部１６に補給された記録媒体は、検知部６０の検知結果によって、記録媒体蓄積部２０ａ，２０ｂいずれかに記録媒体反転部１５２を介して順次転送され、記録媒体蓄積部２０ａ，２０ｂいずれかの指定蓄積場所に蓄積される。指定蓄積場所が満杯になった場合、又は、記録媒体補給部１６が空になった場合に、制御部２６は、記録媒体を指定蓄積場所に蓄積することが完了したと判定し処理を終了する（Ｓ１１２）。
【００６５】
ＵＩ部２４などにより、例えばＡ４サイズの記録媒体に画像を形成する画像形成信号が入力されると、制御部２６は、メモリ１３６に記憶されている指定蓄積場所を参照し、記録媒体蓄積部２０ａを選択して、記録媒体蓄積部２０ａから記録媒体が画像形成部１４へ搬送されるようにピックアップロール１５８ａ，フィードロール１６０ａ及びリタードロール１６２ａなどを制御する。画像形成部１４は、入力された画像データに従って、潜像を感光体１０２ａ〜１０２ｄに形成する。感光体１０２ａ〜１０２ｄに形成された潜像は、現像器１０８ａ〜１０８ｄによりそれぞれの色のトナーで現像されてトナー像となり、感光体１０２ａ〜１０２ｄに形成されたトナー像は中間転写体１１２に重ねて一次転写される。中間転写体１１２に一次転写されたトナー像は、二次転写ロール１２４と二次転写バックアップロール１１８とにより、画像形成部１４へ搬送された記録媒体に二次転写され、定着装置９８によって記録媒体に定着される。画像が定着された記録媒体は、排出ロール８８を介して排出部５６に排出される。
【００６６】
ただし、両面印刷の場合には、排出ロール８８が反転し、記録媒体は、記録媒体反転部１５２の反転路９０に導かれ、搬送ロール９２ａ〜９２ｃにより搬送されて、再びレジストロール８６へ戻され、二次転写ロール１２４と二次転写バックアップロール１１８との間、及び定着装置９８を通って排出部５６へ排出される。
【００６７】
また、記録媒体補給部１６にＡ３サイズの記録媒体が補給された場合には、検知部６０は、記録媒体のサイズがＡ３であることを制御部２６に対して出力する。制御部２６のＣＰＵ１３４は、検知部６０の検知結果とメモリ１３６に記憶されている指定蓄積場所とにより、記録媒体が記録媒体蓄積部２０ｂに蓄積されるように、記録媒体補給部１６、記録媒体反転部１５２などを制御する。記録媒体蓄積部２０ｂにＡ３サイズの記録媒体が蓄積されると、ＵＩ部２４などにより、例えばＡ３サイズの記録媒体に画像を形成する画像形成信号が入力された場合に、記録媒体蓄積部２０ｂは、画像形成部１４へＡ３サイズの記録媒体を供給する。画像形成部１４に搬送された記録媒体は、画像形成部１４により画像が形成されて排出部５６に排出される。
【００６８】
なお、記録媒体補給部１６に補給された記録媒体は、搬送路１５４及び反転路９０を通ってレジストロール８６へ搬送され、二次転写ロール１２４と二次転写バックアップロール１１８との間で画像を形成され、定着装置９８を通って排出部５６へ排出されてもよい。つまり、記録媒体補給部１６に補給された記録媒体は、記録媒体蓄積部２０ａ，２０ｂを介すことなく画像を形成されて、排出部５６へ排出されてもよい。
【００６９】
次に、本発明の第４の実施形態を図面に基づいて説明する。
図９において、本発明の第４の実施形態に係る画像形成装置１０が示されている。
また、図１０において、図９に示した画像形成装置１０の構成を示すブロック図が示されている。
なお、第４の実施形態に係る画像形成装置１０において、第１の実施形態乃至第３の実施形態に係る画像形成装置１０と実質的に同じものには、同一の符号が付してある。
【００７０】
第４の実施形態に係る画像形成装置１０は、記録媒体補給部１６が設けられておらず、原稿読取り装置１３８から記録媒体反転部１５２の反転路９０への記録媒体通路である搬送路１６６と、この搬送路１６６を通る記録媒体を搬送する搬送ロール１６８とを有する。
【００７１】
次に、本発明の第４の実施形態の作用について説明する。
図３に示したように、記録媒体蓄積部２０ａがＡ４サイズの記録媒体の指定蓄積場所であり、記録媒体蓄積部２０ｂがＡ３サイズの記録媒体の指定蓄積場所である場合を具体例として説明する。また、検知部１４４は例えば記録媒体のサイズを検知する。
【００７２】
原稿読取り装置１３８に例えばＡ４サイズの記録媒体が補給される（Ｓ１００）と、制御部２６は、画像形成部１４が動作中であるか否かを判定する（Ｓ１０２）。画像形成部１４が非動作中に、検知部１４４は、記録媒体のサイズ（種類）を検知し（Ｓ１０４）、記録媒体のサイズがＡ４であることを制御部２６に対して出力する。制御部２６は、メモリ１３６に記憶されている記録媒体の種類に対応する指定蓄積場所（図３）を確認し（Ｓ１０６）、検知部１４４の検知結果とメモリ１３６に記憶されている指定蓄積場所とにより、記録媒体が記録媒体蓄積部２０ａに転送されるように切換板１４６，１６４ａ，１６４ｂを切り替える（Ｓ１０８）。サイズを検知された記録媒体は、ピックアップロール４０によりピックアップされ、搬送路１６６を通って反転路９０へ導かれる。反転路９０に導かれた記録媒体のサイズがＡ４なので、制御部２６の制御により、記録媒体は搬送路１５６ａを通って、記録媒体蓄積部２０ａに蓄積される。
なお、画像形成装置１０が例えば原稿読取り装置１３８を用いたフルカラー複写機として用いられる場合には、原稿読取り装置１３８の記録媒体載置部３６に載置された原稿は、画像読取り部３０により画像が読取られると原稿排出部４２へ排出され、記録媒体反転部１５２へは送り出されない。
【００７３】
ＵＩ部２４などにより、例えばＡ４サイズの記録媒体に画像を形成する画像形成信号が入力されると、記録媒体蓄積部２０ａに蓄積された記録媒体は、第１の実施形態に係る画像形成装置１０と同様に画像を形成され、排出部５６に排出される。
【００７４】
また、原稿読取り装置１３８にＡ３サイズの記録媒体が補給された場合には、検知部１４４は、記録媒体のサイズがＡ３であることを制御部２６に対して出力する。制御部２６のＣＰＵ１３４は、検知部１４４の検知結果とメモリ１３６に記憶されている指定蓄積場所とにより、記録媒体が記録媒体蓄積部２０ｂに蓄積されるように、原稿読取り装置１３８、記録媒体反転部１５２などを制御する。記録媒体蓄積部２０ｂにＡ３サイズの記録媒体が蓄積されると、ＵＩ部２４などにより、例えばＡ３サイズの記録媒体に画像を形成する画像形成信号が入力された場合に、記録媒体蓄積部２０ｂは、画像形成部１４へＡ３サイズの記録媒体を供給する。画像形成部１４に搬送された記録媒体は、画像形成部１４により画像が形成されて排出部５６に排出される。
【００７５】
なお、原稿読取り装置１３８に補給された記録媒体は、搬送路１６６及び反転路９０を通ってレジストロール８６へ搬送され、二次転写ロール１２４と二次転写バックアップロール１１８との間で画像を形成され、定着装置９８を通って排出部５６へ排出されてもよい。つまり、原稿読取り装置１３８に補給された記録媒体は、記録媒体蓄積部２０ａ，２０ｂを介すことなく画像を形成されて、排出部５６へ排出されてもよい。
また、画像形成装置１０は、記録媒体補給部１６、原稿読取り装置１３８及び記録媒体反転部１５２などを有して、記録媒体補給部を２つ具備するようにしてもよい。
【図面の簡単な説明】
【００７６】
【図１】本発明の第１の実施形態に係る画像形成装置の正面図である。
【図２】本発明の第１の実施形態に係る画像形成装置の構成を示すブロック図である。
【図３】記録媒体の種類に対する指定蓄積場所を示す図表である。
【図４】画像形成装置が記録媒体を指定蓄積場所に蓄積する動作を示すフローチャート（Ｓ１０）である。
【図５】本発明の第２の実施形態に係る画像形成装置の正面図である。
【図６】本発明の第２の実施形態に係る画像形成装置の構成を示すブロック図である。
【図７】本発明の第３の実施形態に係る画像形成装置の正面図である。
【図８】本発明の第３の実施形態に係る画像形成装置の構成を示すブロック図である。
【図９】本発明の第４の実施形態に係る画像形成装置の正面図である。
【図１０】本発明の第４の実施形態に係る画像形成装置の構成を示すブロック図である。
【００７７】
１０    画像形成装置
１２，１３８    原稿読取り装置
１４    画像形成部
１６    記録媒体供給部
１８    記録媒体転送部
２０ａ，２０ｂ    記録媒体蓄積部
２２，１５２    記録媒体反転部
２４    ＵＩ部
２６    制御部
２８    原稿送り部
３０    画像読取り部
５６    排出部
６０，１４４    検知部
６２，７８ａ，７８ｂ，１５８ａ，１５８ｂ    ピックアップロール
６４，８０ａ，８０ｂ，１６０ａ，１６０ｂ    フィードロール
６６，８２ａ，８２ｂ，１６２ａ，１６２ｂ    リタードロール
７０ａ，７０ｂ，８６    レジストロール
７２ａ，７２ｂ    搬入ロール
７４    転送路
７６，１４６，１６４ａ，１６４ｂ    切換板
８４，１５０，１５４，１５６ａ，１５６ｂ，１６６    搬送路
８８    排出ロール
９０    反転路
１１８    二次転写バックアップロール
１２４    二次転写ロール
１３４    ＣＰＵ
１３６    メモリ
【図１】
2005242079.tif 000003
【図２】
2005242079.tif 000004
【図３】
2005242079.tif 000005
【図４】
2005242079.tif 000006
【図５】
2005242079.tif 000007
【図６】
2005242079.tif 000008
【図７】
2005242079.tif 000009
【図８】
2005242079.tif 000010
【図９】
2005242079.tif 000011
【図１０】
2005242079.tif 000012